(57)【特許請求の範囲】
【請求項１】
透光性気密容器、前記容器内に封入されたキセノンを主体とした希ガスを含む放電媒体、前記容器内に放電を生起させる手段および前記容器内面に形成され、希ガスが放射する紫外線によって励起されて少なくとも３００〜４００ｎｍの波長帯域内の紫外線を発光する蛍光体層を有し、５℃以下の低温雰囲気で少なくとも３００〜４００ｎｍの波長帯域内の紫外線を放射する蛍光ランプと、この蛍光ランプが配設された装置本体と、蛍光ランプを点灯させる点灯装置と、蛍光ランプからの光が照射されて光触媒作用が行われるように光学的に対向して装置本体に配設された光触媒体とを有する光触媒装置と；
光触媒装置が配設された物品本体と；
本体内を５℃以下の低温雰囲気を形成する冷却手段と；
を具備していることを特徴とする低温用光触媒装置付き物品。
【請求項２】
蛍光ランプの蛍光体層は、一般式ＹＰＯ4：Ｃｅ，Ｃｅ（Ｍｇ，Ｂａ）Ａｌ11Ｏ19，ＬａＰＯ4：ＣｅおよびＢａＳｉ2Ｏ5：Ｐｂで表される蛍光体のうち少なくとも１種を含んで構成されていることを特徴とする請求項１記載の低温用光触媒装置付き物品。
【請求項３】
蛍光ランプの蛍光体層は、希ガスが放射する紫外線によって励起されて可視光線を発光する蛍光体を含んでいることを特徴とする請求項１または２記載の低温用光触媒装置付き物品。
【請求項４】
蛍光ランプの放電媒体は水銀を含み、蛍光体層は水銀が放射する紫外線によって励起されて発光する蛍光体を含んでいることを特徴とする請求項１ないし３のいずれか一記載の蛍光ランプ。
【請求項５】
透光性気密容器、前記容器内に封入されたキセノンを主体とした希ガスを含む放電媒体、前記容器内に放電を生起させる手段および前記容器内面に形成され、希ガスが放射する紫外線によって励起されて少なくとも３００〜４００ｎｍの波長帯域内の紫外線を発光しかつ可視光線を発光する蛍光体層を有し、５℃以下の低温雰囲気で少なくとも３００〜４００ｎｍの波長帯域内の紫外線を放射する蛍光ランプと、この蛍光ランプが配設された器具本体と、蛍光ランプを点灯させる点灯装置と、蛍光ランプからの光が照射されるように器具本体に配設された光触媒体とを有する照明装置と；
照明装置が配設された本体と；
本体内を５℃以下の低温雰囲気を形成する冷却手段と；
を具備していることを特徴とする低温用照明装置付き物品。
【発明の詳細な説明】
【０００１】
【発明の属する技術分野】
本発明は、蛍光ランプの光を利用する光触媒体を有する低温用光触媒装置付き物品および低温用照明装置付き物品に関する。
【０００２】
【従来の技術】
光触媒作用を利用した装置は、例えば特公平６−４４９７６号公報に記載されたものが知られている。この装置は脱臭装置であり、主に紫外線を放射する放電ランプと光触媒体とから構成されている。光触媒体は、例えば酸化チタン等を基体上に膜形成したものであり、放電ランプから放射された紫外線が照射されると、光触媒体が活性化されてその表面は酸化分解力を生じ、表面に付着する有機物等を分解する。この光触媒体に窒素化合物や硫黄化合物等の臭気を含む空気を送風する送風機を設けることにより、臭気が効果的に分解されるので雰囲気中の脱臭を行うことができる。紫外線を放射する放電ランプとしては、殺菌ランプや水銀ランプ等の水銀が封入された放電ランプが用いられている。この放電ランプは、主に水銀が放射する波長２５４ｎｍの紫外線が利用される。
【０００３】
【発明が解決しようとする課題】
上記放電ランプの発光効率は水銀蒸気圧に依存するが、この蒸気圧は周囲温度によって変化する。周囲温度が低温になると水銀蒸気圧も低下するので、光束が低下するとともに光束立上がりが遅くなってしまう。したがって、従来の脱臭装置は、冷蔵庫内や冬季の低温状態では、十分な脱臭効果が得られなという問題がある。
【０００４】
また、水銀が放射する波長２５４ｎｍの紫外線は、皮膚や目等の人体に及ぼす影響が大きく、また樹脂材料等が変色ないし劣化しやすいので、こうした紫外線が人体や周辺物体に照射される環境に使用することは好ましくない。したがって、装置の使用形態を制限したり、装置からこうした紫外線が漏れないようにカバー等の特別な構造を用いなければならない。
【０００５】
本発明は、低温雰囲気でも効果的に光触媒作用を得ることができる蛍光ランプを備えた低温用光触媒装置付き物品および低温用照明装置付き物品を提供することを目的とする。
【０００６】
【課題を解決するための手段】
請求項１の低温用光触媒装置付き物品は、透光性気密容器、前記容器内に封入されたキセノンを主体とした希ガスを含む放電媒体、前記容器内に放電を生起させる手段および前記容器内面に形成され、希ガスが放射する紫外線によって励起されて少なくとも３００〜４００ｎｍの波長帯域内の紫外線を発光する蛍光体層を有し、５℃以下の低温雰囲気で少なくとも３００〜４００ｎｍの波長帯域内の紫外線を放射する蛍光ランプと、この蛍光ランプが配設された装置本体と、蛍光ランプを点灯させる点灯装置と、蛍光ランプからの光が照射されて光触媒作用が行われるように光学的に対向して装置本体に配設された光触媒体とを有する光触媒装置と；光触媒装置が配設された物品本体と；本体内を５℃以下の低温雰囲気を形成する冷却手段と；を具備していることを特徴とする。
【０００７】
本請求項および以下の請求項において、透光性気密容器は、ソーダライムガラス、石英ガラスおよびセラミックス等の透光性材料で形成され、内部に放電空間が形成される。一般的なソーダライムガラスやほう珪酸ガラスの一種等は３００ｎｍ未満の波長の紫外線が透過しない。このため、このガラスを容器の材料に用いると、人体や周辺物体へおよぼす影響の大きい紫外線が透過しないので、好ましい。
【０００８】
放電媒体は、キセノンを主体とした希ガスを含んだものであり、キセノン以外の希ガスとしてアルゴンやクリプトン等を含んでいてもよい。
【０００９】
放電を生起させる手段としては、容器内に配設される熱陰極形または冷陰極形の内部電極や、容器外に配設される外部電極、高周波電磁界を印加して無電極放電を行わせるための励起コイル等を用いることができる。
【００１０】
蛍光体層は、希ガスが放射する紫外線、例えばキセノンが放射する波長１４７ｎｍおよび１９０ｎｍの輝線の紫外線によって励起されて少なくとも３００〜４００ｎｍの波長帯域内の紫外線を発光するものであればよく、発光中に大部分ないし一部分可視光線を含んでいてもよい。したがって、既知の蛍光体を単体または混合して用いることができる。
【００１１】
次に、作用について説明する。本発明の蛍光ランプが点灯すると、希ガス中のキセノンガス放電により、波長１４７ｎｍおよび１９０ｎｍの紫外線が発生する。この紫外線が蛍光体層に入射すると、蛍光体は励起されて少なくとも３００〜４００ｎｍの波長帯域内の紫外線が蛍光体層から放射される。さらに、この紫外線は容器を透過して蛍光ランプの外部に放射される。したがって、蛍光ランプの発する光のうち少なくとも一部帯域の紫外線が照射されるような光学的な関係に光触媒体を配設しておけば、光触媒体を活性化することができる。活性化した光触媒体により、既知の脱臭、防汚等の作用を行わせることができる。また、この紫外線には波長３００ｎｍ未満の紫外線はほとんど含まれていないので、人体や周辺物体に及ぼす影響が極めて少ない。
【００１２】
ところで、本発明の蛍光ランプは放電媒体の少なくとも一部がキセノンガスで構成されており、キセノンガスは低温でもその圧力変化が少ないから、放電によって発生する紫外線量も変化が少ないし、また放電の立上がりも早い。
【００１３】
請求項２は、請求項１記載の低温用光触媒装置付き物品において、蛍光体層は、一般式ＹＰＯ4：Ｃｅ，Ｃｅ（Ｍｇ，Ｂａ）Ａｌ11Ｏ19，ＬａＰＯ4：ＣｅおよびＢａＳｉ2Ｏ5：Ｐｂで表される蛍光体のうち少なくとも１種を含んで構成されていることを特徴とする。
【００１４】
請求項３は、請求項１または２記載の低温用光触媒装置付き物品において、蛍光体層は、希ガスが放射する紫外線によって励起されて可視光線を発光する蛍光体を含んでいることを特徴とする。
【００１５】
本請求項において、蛍光体層は、希ガスが放射する紫外線、例えばキセノンが放射するの１４７ｎｍおよび１７２ｎｍの輝線の紫外線によって励起されて可視光線を発光する蛍光体と、３００〜４００ｎｍの波長帯域内の紫外線を発光する蛍光体とを混合または２層状に分けて形成されている。この蛍光体としては、例えば、一般式Ｙ３（Ａｌ，Ｇａ）５Ｏ１８、Ｙ２ＳｉＯ５：Ｃｅ、ＢａＡｌ１２Ｏ１９：Ｍｎ、Ｙ３Ａｌ５Ｏ１２：Ｃｅで表される蛍光体が適用可能であるが、これらに限定されない。また、蛍光体層は、希ガスが放射する紫外線によって励起されて可視光線および紫外線を発光する１種類の蛍光体で構成されもよい。
【００１６】
請求項４は、請求項１ないし３のいずれか一記載の低温用光触媒装置付き物品において、放電媒体は水銀を含み、蛍光体層は水銀が放射する紫外線によって励起されて発光する蛍光体を含んでいることを特徴とする。
【００１７】
水銀は、所定圧の希ガスとともに所定量容器に封入される。
【００１８】
また、水銀が放射する２５４ｎｍの輝線の紫外線によって励起される周知の蛍光体を蛍光体層に混合または２層状に分けて形成してもよい。
【００１９】
この蛍光ランプは、低温時には希ガスの放電を主体として紫外線を放射するとともに、常温時には水銀の放電を主体として紫外線を放射する。
【００２０】
また、水銀が放射する３６５ｎｍの輝線の紫外線が放射されるので、この紫外線が光触媒作用に利用できる。
【００２１】
蛍光ランプの容器外面には光触媒膜が形成されていてもよい。
【００２２】
光触媒膜は、３００〜４００ｎｍの波長帯域内の紫外線を吸収して、光触媒作用を有する金属酸化物等からなる半導体であり、透光性を有している。光触媒膜は、主に酸化チタン（ＴｉＯ２）を主体として形成されるが、この他に、酸化亜鉛（ＺｎＯ）、酸化セリウム（Ｃｅ２Ｏ３）、酸化テルビウム（Ｔｂ２Ｏ３）、酸化マグネシウム（ＭｇＯ）および酸化エルピウム（Ｅｒ２Ｏ３）等が適用可能である。なお、酸化チタンを用いるときは、アナターゼ結晶を用いるのが望ましい。
【００２３】
光触媒膜は、金属酸化物ゾル液をディップ法で形成し、乾燥、焼成して膜形成する方法や、金属酸化物微粒子をバインダー溶液に分散させて塗布、乾燥させて膜形成する方法等で得ることができる。
【００２４】
この光触媒膜は、３００〜４００ｎｍの波長帯域内の紫外線が照射されると、表面に強い酸化分解力を持つように作用し、表面に付着した臭気等の有害物質や有機物質を分解する。
【００２６】
光触媒体は、蛍光ランプの光が照射される基体表面に光触媒膜が形成されたもので、この基体はアルミニウム、鉄等の金属、ガラス、セラミックス、樹脂等から形成される。また、光触媒体の形状は、板状、球状、ハニカム構造を有する形状または粒状等任意である。また、基体表面に酸化珪素や酸化アルミニウム等から形成されるアンダーコート層を形成し、このアンダーコート層上に光触媒膜を形成するようにしてもよい。
【００２７】
また、光触媒体は、ガラスビーズ、ガラスウール、活性炭粉末、銅粉またはアルミナ粒子等からなる基体に光触媒作用を有する酸化チタン等の金属酸化物を担持させて構成してもよい。ガラスビーズ、アルミナ粒子の平均粒径は、数ｍｍ〜数μｍのものが適用可能である。
【００２９】
装置本体に、光触媒体に臭気を含んだ空気を送風する送風機を配設すれば、脱臭等の作用を一層効率的にすることができる。
【００３０】
請求項５の低温用照明装置付き物品は、透光性気密容器、前記容器内に封入されたキセノンを主体とした希ガスを含む放電媒体、前記容器内に放電を生起させる手段および前記容器内面に形成され、希ガスが放射する紫外線によって励起されて少なくとも３００〜４００ｎｍの波長帯域内の紫外線を発光しかつ可視光線を発光する蛍光体層を有し、５℃以下の低温雰囲気で少なくとも３００〜４００ｎｍの波長帯域内の紫外線を放射する蛍光ランプと、この蛍光ランプが配設された器具本体と、蛍光ランプを点灯させる点灯装置と、蛍光ランプからの光が照射されるように器具本体に配設された光触媒体とを有する照明装置と；照明装置が配設された本体と；本体内を５℃以下の低温雰囲気を形成する冷却手段と；を具備していることを特徴とする。
【００３１】
器具本体は、ソケットおよびスイッチ手段の他に、セード、グローブ、ルーバまたはプリズムカバー等の制光体や、反射体、透光カバー等の部品も含まれるものであり、蛍光ランプの光が照射される部品の部位であれば光触媒膜を設けることで光触媒体を形成することもできる。この場合、脱臭およびまたは防汚の作用を有する。
【００３４】
冷却手段を有する物品としては、冷蔵庫、冷凍庫、車輌および船舶等の輸送体、エアコンディショナー等が含まれ、一般的な物品の定義に含まれないが、本発明では冷凍倉庫および冷蔵倉庫等の建造物も含まれる。
【００３５】
【発明の実施の形態】
以下、図面を参照して本発明の実施形態を説明する。
【００３６】
図１は、本発明の蛍光ランプ装置の第１実施形態を示し、（ａ）は斜視図、（ｂ）は（Ａ）のｂ−ｂ線概略断面図、（ｃ）は（ｂ）の要部拡大断面図である。
【００３７】
１は光触媒体、２蛍光ランプである。蛍光ランプ２は、Ｕ字形の透光性気密容器２ａ、容器内２ａ壁面に形成された例えばＹＰＯ４：Ｃｅからなる紫外線用蛍光体層２ｂ、希ガスを主体とした放電媒体、容器２ａの両端側に配設された筒形のニッケル電極からなる放電を生起させる手段としての電極手段（図示しない）から構成されている。この構成は冷陰極形の蛍光ランプである。また、放電媒体の希ガスとして、キセノンガスが約９３００Ｐａ封入さている。容器２ａは、Ｕ字型に曲成加工されており、直径８ｍｍ、全長１００ｍｍの寸法を有している。
【００３８】
３は蛍光ランプ装置３であり、光触媒体１と蛍光ランプ２から構成される。
【００３９】
光触媒体１は支持体１ａの表面ほぼ全体に亘って、平均粒径約０．０４μｍのＴｉＯ２を主体とした微粒子を約２０ｇ被着することによって光触媒膜１ｂを形成している。
【００４０】
次に、光触媒体１の形成方法について説明する。まず、テトライソプロピルチタネートモノマーをグリセリンおよびアセチルアセトンでキレート化したもの、およびガラス質形成剤（Ｐ２Ｏ５）を、酢酸エチル−エタノール系混合溶媒に加えて溶液化した後、この混合溶液中に、平均粒径７ｍｍ、比表面積３００ｍ２／ｇのアナターゼ結晶型のＴｉＯ２超微粒子を分散・懸濁させて、懸濁液を調製する。この懸濁液を、予め用意しておいた断面略Ｘ字型のセラミックス製または金属製支持体１ａ面に塗布し、１５０℃×３０分間焼成処理を施して、アナターゼ結晶型のＴｉＯ２微粒子を主体とする光触媒膜１ｂが形成される。
【００４１】
蛍光ランプ装置３は、その一部をなす蛍光ランプ２に、図示してないパルス点灯のインバータを介して、約５ｍＡ（実行値）の電流を流したとき、蛍光ランプ２外周面から２ｍｍ離れたところでの紫外線強度が約０．４ｍＷ／ｃｍ２であった。  図２は、蛍光ランプ装置３の殺菌効果を評価した結果を示すグラフである。測定は、大腸菌のコローニを蛍光ランプ装置３の周囲に撒いて、点灯・照射時間（分）と生菌数の数とを調べた。その結果、図２に示すような滅菌傾向が確認された。縦軸は生菌数［ｃｍ−２］、横軸は照射時間である。
【００４２】
図３および図４は、蛍光ランプ装置３の他の変形例の概略断面図である。本変形例は、光触媒体１を断面Ｃ形にして、蛍光ランプ２の直管部両側、または光触媒体１を断面Ｅ形にして、蛍光ランプ２の直管部に平行的にそれぞ配置した構成である。
【００４３】
なお、蛍光ランプ２は、曲成部のほぼ中央を境界にして両直管と内壁面の蛍光体層２ｂを、一般的な白色蛍光体とＹＰＯ４：Ｃｅ、Ｃｅ（Ｍｇ，Ｂａ）Ａｌ１１Ｏ１９、ＬａＰＯ４：ＣｅおよびＢａＳｉ２Ｏ５Ｐｂで示される少なくとも１種を主体とした蛍光体で塗り分けた構成としてもよい。
【００４４】
図５は、本発明の蛍光ランプの第２実施形態の蛍光ランプを示し、（ａ）は蛍光ランプ２の縦断面図、（ｂ）は一部拡大断面図である。本形態は、第１実施形態と同寸法の蛍光ランプ２の外周面に、透光性を有するアナターゼ結晶形のＴｉＯ２微粒子を主体とする光触媒膜１ｂを一体的に形成した構成である。この蛍光ランプ２を、第１実施形態と同様に殺菌効果について評価したところ、同様の結果が得られた。
【００４５】
図６は、本発明の蛍光ランプの第３実施形態を示し、（ａ）は一部を拡大した縦断面図、（ｂ）は同じく横断面図、（ｃ）は光触媒作用を有する微粒子の概念図である。
【００４６】
まず、平均粒径７ｎｍ、比表面積３００ｍｍ／ｇのアナターゼ結晶形のＴｉＯ２超微粒子および活性炭微粒子を分散・懸濁させて、懸濁液を調製した。この懸濁液を、第１実施形態と同様の蛍光ランプ２の容器２ａ外面に塗布し、１５０℃×３０分間乾燥処理を施して、活性炭微粒子１ｂ１を含有するアナターゼ結晶形のＴｉＯ２微粒子１ｂ２系の光触媒膜１′を作成した。なお、光触媒膜１′においては、図６（ｃ）に示すように、活性炭微粒子１ｂ１表面に、アナターゼ結晶形のＴｉＯ２微粒子１ｂ２が付着した状態で混在している。
【００４７】
この蛍光ランプ２の点灯状態で、長期間に亘って消臭作用を試験評価したところ、活性炭の消臭作用または脱臭作用と相俟って、消臭効果の向上が認められた。また、この過程において、たとえばＴｉＯ２微粒子１ｂ２に対して、微粒子１ｂ１を１：２の割合で混在させた場合、活性炭自体も常に活性化されて半永久的に、良好な消臭機能を呈することが確認された。
【００４８】
図７は支持体の変形例を示す一部拡大図である。支持体１ａ′は、円板状ハニ力ム構造体を使用しており、光触媒作用面がより広く確保されるため、殺菌、消臭作用、有機物の酸化分解作用等がさらに助長される。この支持体１ａ′に、第３実施形態の光触媒膜のような活性炭微粒子１ｂ１表面にアナターゼ結晶形のＴｉＯ２微粒子１ｂ２が付着した光触媒膜１′を形成してもよい。
【００４９】
図８は、本発明の蛍光ランプの第４実施形態を示し、（ａ）は縦断面図、（ｂ）は（ａ）を一部拡大した断面図である。
【００５０】
まず、平均粒径７ｎｍ、比表面積３００ｍｍ２／ｇのアナターゼ結晶形のＴｉＯ２超微粒子および平均粒径１ｍｍのガラスビーズ粒子（光散乱剤）を分散・懸濁させて、懸濁液を調製した。ここで、懸濁液中のＴｉＯ２超微粒子とガラスビーズ粒子との割合は、１：０．１である。
【００５１】
次に、第１実施形態と同様の蛍光ランプ２の容器２ａ外周面に、懸濁液を塗布・乾燥、焼成して、ガラスビーズ粒子１ｂ３を含有するＴｉＯ２超微粒子１ｂ２系の光触媒膜１″が形成する。
【００５２】
図９は、蛍光ランプ２の殺菌効果を評価した結果を示すグラフである。測定は、蛍光ランプ２を、第１実施形態と同様に殺菌効果について評価した。図９に示すように、本実施形態においても光触媒作用について良好な結果が得られた。
【００５３】
図１０は、本発明の蛍光ランプ装置の第５実施形態を示す正面図である。
【００５４】
この蛍光ランプ装置３は、断面Ｘ字形の光触媒体１、この光触媒体１が直管部間に配設されるＵ字形蛍光ランプ２、安定器等の点灯装置４、ソケット部５から構成されている。
【００５５】
この蛍光ランプ装置３を冷蔵庫内に設置して、その殺菌、消臭効果を試験したところ、４℃程度の低温でも所要の照明用光源として機能するとともに、第１および第３実施形態と同様の結果が得られた。
【００５６】
さらに、蛍光ランプ装置３の蛍光ランプ２に、図５、図６および図８にそれぞれ例示する光触媒膜１′，１″を形成しても同様な作用効果が認められた。
【００５７】
図１１は、本発明の照明装置の第６実施形態を示し、（ａ）は斜視図、（ｂ）は縦断面図である。
【００５８】
容器２ａは、直径６ｍｍ、全長２００ｍｍの寸法を有している。６はアルミニウム系反射板を有する装置本体、１ａはアルミニウム系反射板の反射内壁面に配設された比表面積を大きくしたハニカム構造体、たとえばセラミックス製で厚さ方向に貫通孔が設けられた断面Ｃ字形の曲成板であり、この曲成板の貫通孔内壁面を含む全面に、平均粒径０．０４μｍのＴｉＯ２超微粒子を塗布、焼成して光触媒膜１ｂを担持させている。
【００５９】
容器２ａ内壁面には、ＢａＳｉ２Ｏ５：Ｐｂ、ＹＰＯ４：Ｃｅ、Ｃｅ（Ｍｇ，Ｂａ）Ａｌ１１Ｏ１９、ＬａＰＯ４：Ｃｅ、（Ｃａ，Ｚｎ）３（ＰＯ４）２：ＴｌまたはＳｒＢ４Ｏ７：Ｅｕの紫外線用蛍光体層が設けられる。また、放電媒体としてキセノンガス（希ガス）が約３９９０Ｐａ封入またはキセノンガス約３９９０Ｐａと所定量の水銀とが封入される。  蛍光ランプ２の光出力を、各蛍光体および放電媒体毎に測定した結果を表１に示す。なお、相対光出力（％）は、ＳｒＢ４Ｏ７：Ｅｕを蛍光体層とし、希ガス−水銀を封入した蛍光ランプの光出力を基準（１００％）としたものである。
【００６０】
【表１】
0003551279.tif 000002
ＢａＳｉ２Ｏ５：Ｐｂを蛍光体層とし、希ガスを封入した蛍光ランプの光出力は、当初４３．３％で大きいが点灯中での劣化が大きく、光出力および寿命特性の点で、ＹＰＯ４：Ｃｅ、Ｃｅ（Ｍｇ，Ｂａ）Ａｌ１１Ｏ１９、ＬａＰＯ４：Ｃｅを蛍光体層として備えた場合が好ましい。
【００６１】
図１２はこの照明装置の脱臭効果について評価した結果を示すグラフである。照明装置を−５℃の冷蔵室内に設置し、パルス点灯方式または交流を整流した回路を用いて点灯し、玉葱の臭気物質であるメチルカプタン１０ｐｐｍの濃度変化から脱臭効果を試験した。また、比較例として、放電媒体を水銀−アルゴン系とした蛍光ランプを用いた他は、同じ構成とした照明装置について、前記と同様の条件で、脱臭効果を試験したところ曲線Ａで示すごとくであった。
【００６２】
図１２の各特性曲線Ａ，ａから分かるように、本実施形態の照明装置の場合は、６０分後でメチルカプタン濃度が８０％も減少していたのに対して、比較例の場合は６０分後でメチルカブタン濃度が３０％低減しているに過ぎなかった。
【００６３】
なお、蛍光ランプ２の蛍光体層をＹＰＯ４：Ｃｅで形成する代わりに、Ｃｅ（Ｍｇ，Ｂａ）Ａｌ１１Ｏ１９またはＬａＰＯ４：Ｃｅ、ＹＰＯ４：Ｃｅ、Ｃｅ（Ｍｇ，Ｂａ）Ａｌ１１Ｏ１９、ＬａＰＯ４：Ｃｅの２種以上の混合系、またはＹＰＯ４：Ｃｅ、Ｃｅ（Ｍｇ，Ｂａ）Ａｌ１１Ｏ１９、ＬａＰＯ４：Ｃｅ等を主成分とした混合系の場合でも、希ガスが放射する紫外線で効率よく発光して、光触媒膜を効率よく作用させることが確認された。
【００６４】
図１３は、本発明の物品の第７の実施形態を示す概念図である。
【００６５】
６は冷蔵庫本体で。この本体６には冷蔵室７、コンプレサー等からなる冷却手段８、脱臭装置等の光触媒装置９から構成されている。１０は冷蔵庫本体６の開閉扉である。
【００６６】
光触媒装置９は、第１実施形態と同様に希ガスが封入された蛍光ランプ９ａと光触媒体９ｂとが配設されている。この光触媒装置９は、冷蔵室７内の空気を光触媒体９ｂに送風させる通気孔または送風機（図示しない）等の構成を有している。蛍光ランプ９ａは、３００〜４００ｎｍの紫外線とともに可視光線を放射するものでもあってもよく、この場合には庫内灯としても作用する。また、本体６の背面部に形成された通気路出口付近には、冷却手段８で発生した冷気を冷蔵室７内へ循環させる送風機８ａが配設されている。
【００６７】
こうして、光触媒装置９が冷蔵室７内の臭気を酸化分解して、消臭等の作用を行う。光触媒装置９の蛍光ランプ９ａには、希ガスが封入されているので、冷蔵室７内のように５℃以下の低温雰囲気でも光束が低下することなく点灯し、効率的な光触媒作用が行われる。
【００６８】
【発明の効果】
本発明の低温用光触媒装置付き物品および低温用照明装置付き物品によれば、人体および周辺物体に及ぼす影響が少なく、かつ低温雰囲気であっても、光触媒作用を得ることができ、低温雰囲気内の脱臭、殺菌等を効果的に行うことができる。
【図面の簡単な説明】
【図１】本発明の蛍光ランプ装置の第１実施形態を示し、（ａ）は斜視図、（ｂ）は（Ａ）のｂ−ｂ線概略断面図、（ｃ）は（ｂ）の要部拡大断面図。
【図２】第１の実施形態の殺菌効果を評価した結果を示すグラフ。
【図３】第１の実施形態の他の変形例の概略断面図。
【図４】第１の実施形態の他の変形例の概略断面図。
【図５】本発明の蛍光ランプの第２実施形態を示し、（ａ）は縦断面図、（ｂ）は一部拡大断面図。
【図６】本発明の蛍光ランプの第３実施形態を示し、（ａ）は一部を拡大した縦断面図、（ｂ）は同じく横断面図、（ｃ）は光触媒作用を有する微粒子の概念図。
【図７】上記各実施形態の支持体の変形例を示す一部拡大図。
【図８】本発明の蛍光ランプの第４実施形態を示し、（ａ）は縦断面図、（ｂ）は（ａ）を一部拡大した断面図。
【図９】第４の実施形態の殺菌効果を評価した結果を示すグラフ。
【図１０】本発明の蛍光ランプ装置の第５実施形態を示す正面図。
【図１１】本発明の照明装置の第６実施形態を示し、（ａ）は斜視図、（ｂ）は縦断面図。
【図１２】第６の実施形態の脱臭効果について評価した結果を示すグラフ。
【図１３】本発明の物品の第７の実施形態を示す概念図。
【符号の説明】
１…光触媒体、
１′，１″，１ｂ…光触媒膜、
２…蛍光ランプ、
２ａ…蛍光体層、
２ｂ…透光性気密容器、
３…蛍光ランプ装置、
４…点灯装置、
６…装置本体、
７…冷蔵庫としての物品、
９…光触媒装置。
【図１】
0003551279.tif 000003
【図２】
0003551279.tif 000004
【図３】
0003551279.tif 000005
【図４】
0003551279.tif 000006
【図５】
0003551279.tif 000007
【図６】
0003551279.tif 000008
【図７】
0003551279.tif 000009
【図８】
0003551279.tif 000010
【図９】
0003551279.tif 000011
【図１０】
0003551279.tif 000012
【図１１】
0003551279.tif 000013
【図１２】
0003551279.tif 000014
【図１３】
0003551279.tif 000015